(57)【要約】      （修正有）【課題】環境負荷評価になる製品の製造が可能になる環境負荷評価支援システム及び支援方法を提供する。【解決手段】コンクリート構造物の環境負荷を軽減するための環境負荷評価支援システムであって、支援サーバには、コンクリート構造物の環境負荷評価を実行する環境負荷評価手段と、コンクリート構造物の事例を保存した環境負荷評価データベースと、コンクリートの材料及び工法を保存したコンクリートソリューションメニューとを備え、ユーザ端末には、前記支援サーバとの間でデータの送受をする通信手段を備え、前記ユーザ端末で入力されたコンクリート構造物の評価対象モデルに対する環境負荷評価を前記支援サーバで実行した結果と、前記環境負荷評価データベース及び前記コンクリートソリューションメニューの検索結果に基づいて、より環境負荷の軽減されたモデルを作成する環境負荷評価支援システム。【選択図】図２
2005174118.tif 000002
【特許請求の範囲】
【請求項１】
通信回線を介して接続された支援サーバと少なくとも１台のユーザ端末とからなる、コンクリート構造物の環境負荷を軽減するための環境負荷評価支援システムであって、
前記支援サーバには、
前記ユーザ端末との間でデータの送受をする通信手段と、
コンクリート構造物の環境負荷評価を実行する環境負荷評価手段と、
コンクリート構造物の事例を保存した環境負荷評価データベースと、
コンクリートの材料及び工法を保存したコンクリートソリューションメニューとを備え、
前記ユーザ端末には、
前記支援サーバとの間でデータの送受をする通信手段を備え、
前記ユーザ端末で入力されたコンクリート構造物の評価対象モデルに対する環境負荷評価を前記支援サーバで実行した結果と、前記環境負荷評価データベース及び／又は前記コンクリートソリューションメニューの検索結果に基づいて、より環境負荷の軽減されたモデルを作成することを特徴とする環境負荷評価支援システム。
【請求項２】
前記環境負荷評価データベースには、新たに作成されたモデルを事例として保存することを特徴とする請求項１に記載の環境負荷評価支援システム。
【請求項３】
通信回線を介して接続された支援サーバと少なくとも１台のユーザ端末とからなる、コンクリート構造物の環境負荷を軽減するための環境負荷評価支援方法であって、
ユーザ端末で入力されたコンクリート構造物の評価対象モデルを支援サーバに送信して環境負荷評価を実行するステップと、
前記環境負荷評価結果に応じて、環境負荷評価データベース及び／又はコンクリートソリューションメニューの検索を実行するステップと、
前記検索結果に基づいて、より環境負荷の軽減されたモデルを作成するステップと、
を含むことを特徴とする環境負荷評価支援方法。
【請求項４】
前記検索結果に基づいて作成されたモデルと、前記評価対象モデルとの環境負荷評価比較を行い、比較結果によりモデルの作成を繰り返すステップを、
を含むことを特徴とする請求項３に記載の環境負荷評価支援方法。
【請求項５】
請求項３又は４に記載の環境負荷評価支援方法によって作成された総合レポートの内容に関する更なる詳細な設計を、コンサルタントデータベースを用いて実行することを特徴とする環境負荷コンサルタント支援方法。
【発明の詳細な説明】
【技術分野】
【０００１】
本発明は、製品（特にコンクリート構造物及びコンクリートと鋼との複合構造物）の製造から廃棄（リサイクル）に至るライフサイクルにおいて環境に与える影響を評価する環境負荷評価支援システム及び環境負荷評価支援方法に関する。
【背景技術】
【０００２】
製品のライフサイクル即ち、製造から使用・廃棄（リサイクル）までの間に地球環境に及ぼす悪影響を極力小さくした環境配慮型製品の開発が切望されている。
その影響程度を定量的又は定性的に計算評価する方法が製品のライフサイクル環境負荷評価法(ＬＣＡ)である。
具体的には、製品が製造，使用・廃棄（リサイクル）され消滅するまでに、貴重な石炭や石油の化石資源や鉄鉱石等の鉱物資源をどれだけ消費したかと、大気や水、土壌等の生活環境に有害物質をどれだけ排出したか等を原単位を用いて計算し、更にその計算値を重み係数を用いて温暖化や酸性雨等のカテゴリー毎の地球環境に及ぼす影響を定量的又は定性的に評価するものである。
【０００３】
具体的な計算評価法は、製品を製造，使用，廃棄に至る各工程での環境負荷を、製品の仕様とそれを構成する部品の材料や加工法等の情報を基に、素材製造や部品製造（加工），組立等の製品製造までの各種資源消費量や排出量を計算し、次にライフサイクルの各工程の情報を基に、製品輸送時と使用時及び使用後製品の回収廃棄リサイクル等の各種資源消費量や排出量を計算する。
更にそれらの計算値を重み係数を用いて温暖化や酸性雨等のカテゴリー毎の環境影響度（環境インパクト）を計算するものである。
【０００４】
これを実行するための典型的な基本システムを図１に示す。
システムは、製品やライフサイクルの情報を入力するデータ入力部１０と、計算に必要な原単位や重み係数のデータベースを格納するＤＢ格納部２０と、消費量や排出量及び環境影響度を計算するＬＣＡ計算部３０、及び結果出力部４０の４つより構成される。
ＤＢ格納部２０には、通常、広く共通に使用可能な素材や加工の種類毎の原単位や、各工程での操作毎の原単位が格納されており、利用者が、図１の入力部１０で入力すると、システム内で格納部２０のデータを用いて計算部３０で計算し、結果出力部４０から環境負荷情報を利用者に提供するもので、４つの要素は１組でまとまって使用される。
そのシステムの１例として、下記のものが知られている。（例えば、特許文献１参照）
【０００５】
上記特許文献１には、環境負荷評価方法として、「評価対象製品を製造する工程群と、対象製品を構成する部品を製造する工程群と、対象製品を処分する工程群と、対象製品を処分して得られる製品部分を処分する工程群と、対象製品を使用する工程群と、対象製品および対象製品を構成する部品および対象製品を処分して得られる製品部分を輸送する工程群からなる対象製品に関わる全工程群を、対象製品を根とし、単一工程を有する単位工程を節とした木構造の結合を有する対象製品の製造に関わる仮想的工程群と、同じく対象製品を根とし、単一工程を有する単位工程を節とした木構造の結合を有する対象製品の処分に関わる仮想的工程群との和からなる仮想的全工程群として表すように、前記各単位工程間の結合関係を定義し、定義された各単位工程間の結合関係に基づいて、各単位工程で発生する環境負荷値を用い、対象製品の総合環境負荷値を算出する環境負荷評価方法」
が開示されている。
【０００６】
また、上記特許文献１に開示された環境負荷評価方法の改良策として、
(a)データベースとして従来の材質や加工法毎の原単位の他にユニットや部品毎の原単位を格納する、
(b)格納した原単位や重み係数は原理的にバラツキは避けられないことに着目し、値の他に範囲もデータベースとして格納し、結果にも値と範囲を出力する、
(c)データベースを一括更新追加可能なように、利用者側でなくサービス提供者側に遠隔配置し、データ送受信で利用者と提供者で情報交換対応する、
ようにした、以下の環境影響性評価システムが知られている。（例えば、特許文献２参照）
【０００７】
上記特許文献２には、「製品・部品の仕様とライフサイクルの各条件を入力して、製造・使用・廃棄のライフサイクルでの環境影響性を各種の原単位と重み係数のデータベースを用いて予測計算する環境影響性評価システムにおいて、製品・部品の仕様やライフサイクルの入力値を利用者側よりインターネットを介して前記入力値を取り入れるための一つ又は複数のデータ入力手段と、それを計算手段を持つサービス提供者側へ送付する手段と、格納したデータベースを用いて環境負荷を計算する計算手段，計算結果を利用者側へ送る手段と、その結果を利用者側へ出力する一つ又は複数の手段を持つことを特徴とする環境影響性評価システム。」が開示されている。
【０００８】
【特許文献１】特開平７−３１１７６０号公報  （請求項１）
【特許文献２】特開平１１−２１９３９１号公報  （請求項１，（０００９））
【発明の開示】
【発明が解決しようとする課題】
【０００９】
上記特許文献２に開示されている「環境影響性評価システム」では、インターネットを介して利用者が製品の仕様やライフサイクルの入力を行い、それを計算手段を持つサービス提供者側へ送付してサービス提供者が環境負荷を計算して、計算結果を利用者側へ送ることによって、利用者が入力した製品の仕様やライフサイクルのデータに関する環境負荷の計算結果として数値として得ることができる。
しかし、計算結果として得られた環境負荷に関する数値データが、過去の同様なものに比較して、地球温暖化、大気汚染、エネルギー消費、鉱物資源等のカテゴリー毎にどのような関係（従来よりも改善されているのか否か）にあるのかを対比して判断するのが困難であった。
【００１０】
本発明の課題（目的）は、ユーザ（利用者）がデータ入力した環境負荷の計算結果として得られた環境負荷に関する数値データが、過去の同様なものに比較して、地球温暖化、大気汚染、エネルギー消費、鉱物資源等のカテゴリー毎にどのような関係（従来よりも改善されているのか否か）にあるのかを対比して理解できると共に、オンラインでユーザがデータの一部を修正（変更）することによって、より改善された環境負荷評価になる製品の製造が可能になる環境負荷評価支援システム及び支援方法を提供することにある。
【課題を解決するための手段】
【００１１】
前記課題を解決するために、通信回線を介して接続された支援サーバと少なくとも１台のユーザ端末とからなる、コンクリート構造物の環境負荷を軽減するための環境負荷評価支援システムであって、
前記支援サーバには、前記ユーザ端末との間でデータの送受をする通信手段と、コンクリート構造物の環境負荷評価を実行する環境負荷評価手段と、コンクリート構造物の事例を保存した環境負荷評価データベースと、コンクリートの材料及び工法を保存したコンクリートソリューションメニューとを備え、
前記ユーザ端末には、前記支援サーバとの間でデータの送受をする通信手段を備え、
前記ユーザ端末で入力されたコンクリート構造物の評価対象モデルに対する環境負荷評価を前記支援サーバで実行した結果と、前記環境負荷評価データベース及び前記コンクリートソリューションメニューの検索結果に基づいて、より環境負荷の軽減されたモデルを作成する。（請求項１）
前記環境負荷評価データベースには、新たに作成されたモデルを事例として保存する。
（請求項２）
【００１２】
通信回線を介して接続された支援サーバと少なくとも１台のユーザ端末とからなる、コンクリート構造物の環境負荷を軽減するための環境負荷評価支援方法であって、
ユーザ端末で入力されたコンクリート構造物の評価対象モデルを支援サーバに送信して環境負荷評価を実行するステップと、前記環境負荷評価結果に応じて、環境負荷評価データベース及びコンクリートソリューションメニューの検索を実行するステップと、前記検索結果に基づいて、より環境負荷の軽減されたモデルを作成するステップとで環境負荷評価を実行する。（請求項３）
前記検索結果に基づいて作成されたモデルと、前記評価対象モデルとの環境負荷評価比較を行い、比較結果によりモデルの作成を繰り返すステップを含む。（請求項４）
請求項３又は４に記載の環境負荷評価支援方法によって作成された総合レポートの内容に関する更なる詳細な設計を、コンサルタントデータベースを用いて実行する環境負荷コンサルタント支援方法。（請求項５）
【発明の効果】
【００１３】
請求項１〜５に記載の環境負荷評価支援システム，支援方法及び環境負荷コンサルタント支援方法により、ユーザ（利用者）がデータ入力した環境負荷の計算結果として得られた環境負荷に関する数値データが、過去の同様なものに比較して、地球温暖化、大気汚染、エネルギー消費、鉱物資源等のカテゴリー毎にどのような関係（従来よりも改善されているのか否か）にあるのかを対比して理解できると共に、オンラインでユーザがデータの一部を修正（変更）することによって、より改善された環境負荷評価になる製品の製造が可能になる。
【発明を実施するための最良の形態】
【００１４】
本発明のシステム構成を図２を用いて説明する。
図２において、１は本発明の環境負荷評価支援システムの中核となるサーバであり、通信回線（インターネットを含む）２を介してユーザ端末３に接続されている。
図２ではユーザ端末は、通信回線２を介して１台だけ示されているが、複数台のユーザ端末が接続されている。
【００１５】
前記サーバ１には、環境負荷評価（LCA）データベース（LCA-DB）1-a、インベントリーデータのデータベース1-b、コンクリートソリューションメニュー1-c及びコンテンツ1-dが設けられている。
LCA-DBは事例データが保管されているデータベースであり、コンクリートソリューションメニューはコンクリート構造物の材料及び工法が保管されたデータベースである。
また、サーバには本発明の環境負荷の演算をするためのプログラムが保管されている。
なお、コンサルタントDB及びオペレータ端末を含むコンサルタントサービス用のシステム４を追加して、本発明による環境負荷評価支援システムによる環境負荷に関する計算結果をより精緻に演算及び指導することが可能である。
【００１６】
図２における処理の流れの大筋は図２の右側に記載された以下の通りである。
・アクセスレベル認証
ユーザ端末３が本発明の環境負荷評価支援システムのサービスを受ける資格を備えているか否かの認証を行う。（ユーザは、予め本環境負荷評価支援サービスを受ける旨の登録を行って、パスワード及びIDの付与がなされていることとする。）
・インベントリデータの入力
前記インベントリデータのDBを利用して、自己のユーザ端末３からユーザが環境負荷に関する評価を依頼する製品に関するデータの入力を実行して、サーバ１に送信する。
・LCA評価結果
サーバ１では、受信したインベントリデータに基づいて、LCA-DBを利用してLCA評価を演算してユーザ端末３に送信する。
・事例検討
ユーザは、送信されたLCA評価結果を見て、より改善された環境負荷に成るように、LCA-DBに蓄積された事例の中から改善の対象となるキーワードを選択して検索を行う。
・環境負荷低減検討
検索された事例と今回のものとの対比を行って、より環境負荷を低減するものを検討する。（この事例検索と環境負荷低減検討は、より良い結果が得られるまで複数回繰り返し実行するのが望ましい。）
・総合レポート
環境負荷低減の検討がなされた結果を総合レポートとして出力する。
・検討結果の保存
ユーザが検討検討した結果をLCA-DBに保存することによって、新たなデータが蓄積されることになって、データベースが成長してより利用のし易いデータベースになる。
【００１７】
次に図２の処理を実行するユーザ端末の画面表示の１例を図３に示す。
図３に示すように、画面の中央部分を作業画面とし、左側に複数の作業画面切り替えボタンを配置する。（図３では、「評価対象モデル」「環境負荷低減モデル」「事例検索」「総合レポート」「保存」及び「お問い合せ」のボタンが配置されている。）
また、画面の右側の上下に、サブ画面として、「LCA評価モニター」「環境負荷低減モデル用の材料、工法等の候補LIST」が形成されている。
【００１８】
以下の説明は、環境負荷の評価の対象としてコンクリート構造物及びコンクリートと鋼との複合構造物の場合を例として行う。
【００１９】
図４は、生コンクリートのプロファイル（評価対象モデルの作成）画面である。
この画面でユーザは、生コンクリートの構成材料として、普通ポルトランド、砕砂、砕石、高性能AE減水剤等を選択して、それぞれのデータを入力する。
また、コンクリート総使用量、使用ミキサ容量、輸送距離、打込み方法、養生方法及び施工構造物等の個々のデータを入力する。
【００２０】
次にユーザは、図５の建設のプロファイル（評価対象モデルの作成）画面で、工事種類の土工、基礎工、舗装工、揚重工、解体工及び輸送について、それぞれ施工手段及び作業量のデータを入力する。
さらにユーザは、図６のリサイクル・廃棄のプロファイル（評価対象モデルの作成）画面で、リサイクル及び廃棄について、骨材種類、回収量及び処理方法等のデータ入力を行う。
【００２１】
図３〜図６のデータの入力後、ユーザ端末から通信回線を介してサーバ１にデータの送信を実行すると、サーバ１では、LCA-DBを用いて環境負荷の演算を実行する。
演算結果の１例は、図７の評価対象モデルの環境負荷のプロファイル画面に示す通りである。
この例では、材料製造・採取、コンクリート製造、コンクリート施工、土工、基礎工、舗装工、揚重工、輸送、解体及び廃棄・リサイクルの工程項目毎に、エネルギー消費量と排出量（CO2，SOX，NOX，SPM）が示されている。
なお、この画面で、環境負荷プロファイルにおいて、負荷の占める割合が比較的高い工程を色分け等で他の部分と区別して示すことができる。
【００２２】
図７の評価対象モデルの環境負荷のプロファイルを、後述の事例検索による環境負荷の低減の基礎（ベースライン）となる５軸レーダーチャートで示す（図８）。
この図８では、  地球温暖化、酸性雨、大気汚染、エネルギー資源、鉱物資源の５つのカテゴリーにおける、図７の演算結果を１として示している。
図８の画面における「詳細」ボタンをクリックすることによって、図７の評価対象モデルの環境負荷のプロファイルを呼び出すことができる。
【００２３】
ここまでの処理（操作）によって、ユーザは本発明の環境負荷評価支援システムのサービスを受けて、自己の製造しようとしている製品（コンクリート構造物及びコンクリートと鋼との複合構造物）環境負荷に関するデータを取得することができる。
しかし、図７に示される数値では、自己の製造しようとしている製品の環境負荷に与える影響が従来の同様な製品と比較して優れているのか、又は劣っているのかの判断を容易にすることは困難である。
【００２４】
そこで、本発明の環境負荷評価支援システムでは、更にキーワードを選択したLCA-DBから事例検索を行って、検索された事例との環境負荷に関する対比を行って、より改善された環境負荷評価になる製品とする処理（操作）について以下に詳述する。
【００２５】
図９は、事例検索画面の１例を示す図である。
図９では、検索条件として、構造物として「杭工」が、配合として「セメント量が３００〜４００」に、キーワードとして「オールケーシング」「掘削機」「再生骨材」「杭打機」「パイル」が選択されている。
検索仕様として、「あいまい検索」「完全一致検索」「部分一致検索」が指定できる。
この画面で、「事例検索」ボタンをクリックすることによって、サーバ１のLCA-DBに対する検索が実行される。
なお、図９の検索では、LCA-DBとは別のデータベースである「コンクリートソリューションメニュー」に対しても検索が可能になっている。
【００２６】
図１０は、図９の検索条件で検索した検索結果に対するサーバ１からの応答画面である。
図１０の画面では、  LCA-DBで11件ヒットし、コンクリートソリューションメニューで４件ヒットしていること及び、そのデータベースNoが表示されている。
【００２７】
図１０のLCA-DBの表示部の「表示ボタン」をクリックすると図１１の画面になる。
この図１１の画面では、LCA-DBから検索された検索条件にヒットした事例（「前例」「類似例」）が、「データベースNo」「構造物の種類」「セメント量」及び「ヒットキーワード」と共に表示される。
【００２８】
図１０のコンクリートソリューションメニューの表示部の「表示ボタン」をクリックすると図１２の画面になる。
この図１２の画面では、コンクリートソリューションメニューから検索された材料及び工法の検索条件にヒットした事例が、「データベースNo」「構造物の種類」「セメント量」及び「ヒットキーワード」と共に表示される。
【００２９】
図１１の画面で表示されたリストの内の１番目のデータベースNo（LCA200205190012）をクリックすると図１３の画面になる。
この画面には、No（LCA200205190012）の事例の生コンクリートの構成材料の個々のデータ及び構造物の種類、コンクリート量、コンクリート製造、施工、廃棄・リサイクル等の項目に個々のデータが表示される。
また、この画面には、この事例についての環境負荷評価として、エネルギー消費量と排出量（CO2，SOX，NOX，SPM）のデータが同時に表示されると共に、環境負荷の低減の基礎（ベースライン）となる５軸レーダーチャートのデータとなる地球温暖化、酸性雨、大気汚染、エネルギー資源、鉱物資源の５つのカテゴリーにおけるデータも示している。
【００３０】
検索された事例（LCA200205190012）と、評価対象モデルとの環境負荷評価についての対比が図１４の画面に示されている。
この画面では、「エネルギー消費(GJ)」「CO2(kg)」「SOX(kg)」「NOX(kg)」「ばいじん(kg)「廃棄物(t)」の各々について、事例（LCA200205190012）と、評価対象モデルとのデータがグラフ表示されている。
このグラフをみることによって、ユーザが製造しようとしている評価対象モデルは、「エネルギー消費(GJ)」「CO2(kg)」「SOX(kg)」「NOX(kg)」「ばいじん(kg)「廃棄物(t)」の全ての面で劣っていることが分かる。
【００３１】
また、事例の環境負荷のプロファイルを図１５に示すように、「材料製造・採取」「コンクリート製造」「コンクリート施工」「土工」「基礎工」「舗装工」「揚重工」「輸送」「解体」「廃棄・リサイクル」等の工程別に、「エネルギー消費量」「排出量」を示す表を表示することもできる。
また、検索された他の事例（LCA200208020001）事例（LCA200208020003）等に対しても同様に処理できる。
【００３２】
次に図１６では、図１５の表を中央に示すと共に、画面の右上には、この事例（LCA200205190012）と、前記評価対象モデルとの環境負荷評価についての対比が地球温暖化、酸性雨、大気汚染、エネルギー資源、鉱物資源の５つのカテゴリーの５軸レーダーチャートで示されている。
この図では、事例（LCA200205190012）を点線で、評価対象モデルを実線で示して、自己の製造しようとしている製品（参考例）の環境負荷に与える影響が、事例（LCA200205190012）
製品と比較して、地球温暖化、酸性雨、大気汚染、エネルギー資源、鉱物資源の５つのカテゴリーで優れているのか、又は劣っているのかの判断が容易にできる。
この図１６の５軸レーダーチャートから、比較例は、事例（LCA200205190012）に比べて、地球温暖化、酸性雨、大気汚染、エネルギー資源で環境負荷の評価が優れているが鉱物資源では劣っているので、改善の余地があること判断できる。
【００３３】
次に、図１６において、「参考材料・工法」ボタンをクリックすることによって、この参考例と類似の事例（Re1111）の材料、工法の概要（プロファイル、LCA評価等）の図１７の画面に移行することができる。（この図では具体的な数値は省略している。）
また、図１７の画面で、「比較する」ボタンをクリックすることによって、別の事例（Re1122）の材料、工法の概要（プロファイル、LCA評価等）比較画面（図１８）に移行することができる。（この図では具体的な数値は省略している。）
【００３４】
次に図１８のの画面の右上には、この事例（Re1111）と、別の事例（Re1122）との環境負荷評価についての対比が地球温暖化、酸性雨、大気汚染、エネルギー資源、鉱物資源の５つのカテゴリーの５軸レーダーチャートで示されている。
この図では、事例（Re1111）を点線で、別の事例（Re1122）を実線で示しているので、それぞれの材料及び工法によっての環境負荷に与える影響が、地球温暖化、酸性雨、大気汚染、エネルギー資源、鉱物資源の５つのカテゴリーでどちらが優れているのか、又は劣っているのかの判断が容易にできる。
【００３５】
次に、環境負荷軽減モデルの作成を行う。
図１９では、参照モデルとして、データベースNo（LCA200205190012）をクリックすると、画面の右上には、この事例（LCA200205190012）をモデル０１とし、評価対象モデルとの環境負荷評価についての対比が地球温暖化、酸性雨、大気汚染、エネルギー資源、鉱物資源の５つのカテゴリーの５軸レーダーチャートで示されるので、モデル０１が劣っているカテゴリである「鉱物資源」に関する部分の変更を行う。
【００３６】
モデル０１の「鉱物資源」を改善するには、リサイクル・廃棄のプロファイルに関する項目として生コンクリートに使用する骨材の変更を、検索して得られた参照モデル及び参照材料・工法を参考にして試みる。
評価対象モデルの骨材（砕砂，砕石）を、Ｉ種再生骨材（Re1111），Ｉ種再生骨材（Re1122）に変更して得られたモデル０１と評価対象モデルとの生コンクリートプロファイルの対比を総合レポートとして図２０に示す。（この図では、モデル０１の骨材関係以外の具体的な数値は省略している。）
なお、図２０では、骨材関係のみを変更しているが、建設のプロファイルや生コンクリートのプロファイル等の変更を行っても良い。
【００３７】
次に、図２０のモデル０１と評価対象モデルとの環境負荷の情報（LCA評価）を図２１に示す。
図２１では、モデル０１を点線で、評価対象モデルを実線で示している。
それぞれの環境負荷に与える影響が、地球温暖化、酸性雨、大気汚染、エネルギー資源、鉱物資源の５つのカテゴリーいずれでもモデル０１が優れていることが判断できる。
【００３８】
上記の手順によって、ユーザ（利用者）がデータ入力した環境負荷の計算結果として得られた環境負荷に関する数値データが、過去の同様なものに比較して、地球温暖化、大気汚染、エネルギー消費、鉱物資源等のカテゴリー毎にどのような関係（従来よりも改善されているのか否か）にあるのかを対比して理解できると共に、オンラインでユーザがデータの一部を修正（変更）することによって、より改善された環境負荷評価になる製品のモデルを得ることができる。
【００３９】
なお、本発明の環境負荷評価支援システムによって、ユーザは図２０及び図２１に示す総合レポートをオンラインで得られるが、更なる詳細な設計等については、オンラインサービスとは別のコンサルタントサービスを依頼することが可能である。
そのお問い合わせフォームの１例を図２２に示す。
【００４０】
次に、本発明の環境負荷評価支援システムの構成要素間におけるデータ（処理）の流れを図２３を用いて説明する。
ユーザ端末３からユーザは、予め本環境負荷評価支援サービスを受ける旨の登録を行って、パスワード及びIDの付与を受ける。
その状態で、ユーザ端末３から支援サーバ１にアクセスしてアクセスレベルの認証を得る。
アクセス記録は、支援サーバ内のアクセスユーザデータ記録1-gに保管される。
その後、前記インベントリデータのDBを利用して、自己のユーザ端末３からユーザが環境負荷に関する評価を依頼するコンクリート構造物に係る各種条件（工事歩掛り）を入力を実行して、サーバ１に送信する。
支援サーバ１では、受信したコンクリート構造物に係る各種条件データを基に、環境負荷評価プログラム1-eによって環境負荷を算出してユーザ端末に送信する。
算出結果には、「インベントリ」「地球環境へのインパクト」「統合化結果」「グラフ」等が含まれる。
最初の算出結果を「評価対象モデル」という。
この環境負荷評価プログラム1-eによる環境負荷の算出には、環境負荷評価支援システムの運営元サーバ４によって適宜データが更新される原単位データ1-hが利用される。
【００４１】
ユーザ端末３では、「評価対象モデル」の環境負荷をより軽減するために、支援サーバ１内のLCAデータベース1-a及びコンクリートソリューションメニュー1-cに対してキーワードを選択して検索を実行する。
ユーザ端末では、検索結果「評価対象モデル」と検索された「事例」との対比に基づき、環境負荷をより軽減するためにコンクリート構造物に係る各種条件データを変更して支援サーバ１に送信して環境負荷評価プログラム1-eによる環境負荷の算出を依頼する。（この処理は、環境負荷の軽減を実現するために繰り返し実行される。）
環境負荷の軽減された「モデル０１」は総合レポートとしてユーザ端末３に送信される。
【００４２】
総合レポートを受信したユーザは、更なる詳細な設計等については、オンラインサービスとは別のコンサルタントサービスを依頼（問い合せ）することが可能である。
この問い合せを受けた環境負荷評価支援システムの運営元サーバでは、コンサルタントデータベース1-fを用いてキーワード検索等を実行してユーザが要求する更なる詳細な設計等について検討してレポートとしてユーザ端末に送信する。
【産業上の利用可能性】
【００４３】
請求項１〜５に記載の環境負荷評価支援システム及び支援方法では、ユーザ（利用者）がデータ入力した環境負荷の計算結果として得られた環境負荷に関する数値データが、過去の同様なものに比較して、地球温暖化、大気汚染、エネルギー消費、鉱物資源等のカテゴリー毎にどのような関係（従来よりも改善されているのか否か）にあるのかを対比して理解できると共に、オンラインでユーザがデータの一部を修正（変更）することによって、より改善された環境負荷評価になる製品の製造が可能であるので、産業上の利用可能性は極めて大きい。
【図面の簡単な説明】
【００４４】
【図１】環境負荷評価（LCA）を実行するための典型的な基本システムを示す図である。
【図２】本発明の環境負荷評価支援システムの構成を示す図である。
【図３】本発明のユーザ端末の画面表示の１例を示す図である。
【図４】生コンクリートのプロファイル（評価対象モデルの作成）の１例を示す図である。
【図５】建設のプロファイル（評価対象モデルの作成）の１例を示す図である。
【図６】リサイクル・廃棄のプロファイル（評価対象モデルの作成）の１例を示す図である。
【図７】評価対象モデルの環境負荷のプロファイルの１例を示す図である。
【図８】評価対象モデルのベースライン（５軸レーダーチャート）の１例を示す図である。
【図９】事例検索画面の１例を示す図である。
【図１０】検索結果画面の１例を示す図である。
【図１１】前例・類似例のリスト（LCA-DBを利用）の１例画面を示す図である。
【図１２】材料・工法リスト（コンクリートソリューションメニューを利用）の１例画面を示す図である。
【図１３】前例・類似例モデルの概要画面の１例を示す図である。
【図１４】前例・類似例モデルのLCA評価との比較画面の１例を示す図である。
【図１５】前例・類似例モデルの工程別環境負荷のプロファイル画面の１例を示す図である。
【図１６】参考モデルのリストアップ画面の１例を示す図である。
【図１７】材料・工法の概要（プロファイル、LCA評価等）の画面の１例を示す図である。
【図１８】参考材料・工法のリストアップ画面の１例を示す図である。
【図１９】環境負荷軽減モデルの作成を行う画面の１例を示す図である。
【図２０】モデル０１と評価対象モデルとの生コンクリートプロファイルを示す総合レポートの1例を示す図である。
【図２１】図２０のモデル０１と評価対象モデルとの環境負荷の情報（LCA評価）の１例を示す図である。
【図２２】有償コンサルタントサービスであるお問い合わせフォームの１例を示す図である。
【図２３】本発明の環境負荷評価支援システムの構成要素間におけるデータの流れを示す図である。
【符号の説明】
【００４５】
１      支援サーバ
1-a      LCAデータベース
1-c      コンクリートソリューションメニュー
1-e      環境負荷評価プログラム
1-f      コンサルタントデータベース
1-g      アクセスユーザデータ記録
1-h      原単位データ
３      ユーザ端末
４      環境負荷評価支援システムの運営元サーバ
【図１】
2005174118.tif 000003
【図２】
2005174118.tif 000004
【図３】
2005174118.tif 000005
【図４】
2005174118.tif 000006
【図５】
2005174118.tif 000007
【図６】
2005174118.tif 000008
【図７】
2005174118.tif 000009
【図８】
2005174118.tif 000010
【図９】
2005174118.tif 000011
【図１０】
2005174118.tif 000012
【図１１】
2005174118.tif 000013
【図１２】
2005174118.tif 000014
【図１３】
2005174118.tif 000015
【図１４】
2005174118.tif 000016
【図１５】
2005174118.tif 000017
【図１６】
2005174118.tif 000018
【図１７】
2005174118.tif 000019
【図１８】
2005174118.tif 000020
【図１９】
2005174118.tif 000021
【図２０】
2005174118.tif 000022
【図２１】
2005174118.tif 000023
【図２２】
2005174118.tif 000024
【図２３】
2005174118.tif 000025